(57)【要約】  【課題】誤動作が発生するのを防止する。  【解決手段】ボデー１に設けられている流路と、該流路を開閉するボール弁３と、該ボール弁３に下端部１２ａが連結された脚部材１２及び該脚部材の上端部に連続する握り部材１４を有する開閉ハンドル１０と、を備えたガンタイプ噴霧ノズルにおいて；前記脚部材１２にストッパロッド１８を設け、前記握り部材１４に前記ストッパロッド１８を摺動せしめるロック解除レバー２０を設けるとともに、前記開閉バンド１０が閉弁位置の時に前記ストッパロッド１８の下端部１８ａを係止せしめるガイドストッパ３０を設ける。  【選択図】図３
0003122103.tif 000002
【実用新案登録請求の範囲】
【請求項１】
ボデーの流路に設けられたボール弁と、前記ボデーに設けられ、前記ボール弁を開閉せしめる開閉ハンドルであって、前記ボール弁に下端部が連結された脚部材と該脚部材の上端部に連続する握り部材とを有する開閉ハンドルと、を備えたガンタイプ噴霧ノズルにおいて；
前記脚部材に設けられたストッパロッドと、
前記握り部材に設けられ、前記ストッパロッドを摺動せしめるロック解除レバーと、
前記ボデーに設けられ、閉弁時に前記ストッパロッドの下端部が係止されるストッパと、
を備えていることを特徴とするガンタイプ噴霧ノズル。
【請求項２】
開閉ハンドルが、逆Ｕ字状に形成されていることを特徴とする請求項１記載のガンタイプ噴霧ノズル。
【請求項３】
前記ストッパロッドの下端部には、前記ストッパに係止する係止部が設けられ、その上端部は、ロック解除レバーの一端部に回動自在に固定され、該ロック解除レバーの他端部は、前記握り部材に回動自在に固定され、該ロック解除レバーの中央部はスプリングを介して前記握り部材に連結されていることを特徴とする請求項１記載のガンタイプ噴霧ノズル。
【請求項４】
前記脚部材の上部に、前記ロック解除レバーの移動を規制するストッパピンを設けたことを特徴とする請求項３記載のガンタイプ噴霧ノズル。
【請求項５】
前記脚部材の下端部は、円弧状に形成され、前記ストッパは、前記円弧状の下端部に沿って形成された円弧状のガイドストッパであることを特徴とする請求項１記載のガンタイプ噴霧ノズル。
【考案の詳細な説明】
【技術分野】
【０００１】
この考案は、消火等に用いられる噴霧ノズルに関するものであり、更に述べると、開閉ハンドルを有するガンタイプ噴霧ノズルに関するものである。
【背景技術】
【０００２】
従来のガンタイプ噴霧ノズルは、ボデーに設けられている流路と、該流路を開閉するボール弁と、該ボール弁を開閉する逆Ｕ字状（門型）の開閉ハンドルと、を備えている。このノズルでは、開閉ハンドルを所定方向に回すと、ボール弁が回転し開弁状態となるので放水が開始される。又、前記開閉ハンドルを前記と逆方向に回転させると、閉弁状態になり前記放水は停止する。
【考案の開示】
【考案が解決しようとする課題】
【０００３】
従来例では、消火の際に、消火隊員が前記ノズルのバンドを肩に掛け、グリップを握りながら消火対象の家屋に入るが、狭くて暗い場所等を通る時に、開閉ハンドルが家具等の障害物に衝突して開弁方向に回転し、開弁状態となることがある。この様な誤作動が発生すると、不用意に放水が開始し、危険である。
【０００４】
この考案は、誤動作が発生するのを防止することを目的とする。
【課題を解決するための手段】
【０００５】
この考案は、ボデーの流路に設けられたボール弁と、前記ボデーに設けられ、前記ボール弁を開閉せしめる開閉ハンドルであって、前記ボール弁に下端部が連結された脚部材と該脚部材の上端部に連続する握り部材とを有する開閉ハンドルと、を備えたガンタイプ噴霧ノズルにおいて；前記脚部材に設けられたストッパロッドと、前記握り部材に設けられ、前記ストッパロッドを摺動せしめるロック解除レバーと、前記ボデーに設けられ、閉弁時に前記ストッパロッドの下端部が係止されるストッパと、を備えていることを特徴とする。
【０００６】
この考案の開閉ハンドルが、逆Ｕ字状に形成されていることを特徴とする。この考案の前記ストッパロッドの下端部には、前記ストッパに係止する係止部が設けられ、その上端部は、ロック解除レバーの一端部に回動自在に固定され、該ロック解除レバーの他端部は、握り部材に回動自在に固定され、該ロック解除レバーの中央部はスプリングを介して前記握り部材に連結されていることを特徴とする。この考案の前記脚部材の上部に、前記ロック解除レバーの移動を規制するストッパピンを設けたことを特徴とする。この考案の前記脚部材の下端部は、円弧状に形成され、前記ストッパは、前記円弧状の下端部に沿って形成された円弧状のガイドストッパであることを特徴とする。
【考案の効果】
【０００７】
この考案は、以上のように構成したので、開閉ハンドルは閉弁時には、ストッパロッドの下端部がストッパに係止してロック状態となり、又、握り部材を握ると、ロック解除レバーが変位してストッパロッドが摺動し、前記ロックが解除される。そのため、従来例と異なり、閉弁状態時に開閉ハンドルが不用意に開弁方向に回動することはないので、誤作動の発生は完全に防止される。又、握り部材を握るだけで、ロック状態が解除されるので、操作が容易である。
【考案を実施するための最良の形態】
【０００８】
本考案者は、前記目的を達成するには、開閉ハンドルにストッパを設ければ良い、と考えるとともに、どのようなストッパ機構が好適であるかについて検討した。その結果、開閉ハンドルの脚部材に沿って摺動するストッパロッドを設け、該開閉ハンドルの握り部材に、手で握ったときに前記ストッパロッドを摺動せしめるロック解除レバーを設けるとともに、前記脚部材の下方に開閉バンドが閉弁位置の時に前記ストッパロッドの下端部が係止するストッパを設ければ良いことが分かった。この考案は、上記知見に基づいてなされたものである。
【実施例】
【０００９】
この考案の実施例を図１〜図４により説明する。
ボデー（銃身）１は、筒状に形成され、その内部には図示しない流路が設けられている。このボデー１には、流路を開閉するボール弁３が設けられており、該ボール弁３の左側及び右側にはスピンドル７を介して開閉ハンドル１０が連結されている。
【００１０】
開閉ハンドル１０は、逆Ｕ字状（門型）に形成され、一対の脚部材１２，１２と、前記両脚部１２の上端部に連続する握り部材１４と、を備えている。前記脚部材１２の下端部１２ａは、円弧状に形成され、該下端部１２ａは前記スピンドル７にピン１６により固定されている。
【００１１】
脚部材１２の内側には、該脚部材１２に沿って摺動するストッパロッド１８が設けられている。このストッパロッド１８の下端部１８ａは、脚部材１２の下端部１２ａから突出可能に支持されており、その上端部１８ｂは、ロック解除レバー２０の一端に、ピン２２を介して回動可能に固定されている。
【００１２】
前記ロック解除レバー２０の他端は、握り部材１４にピン２４を介して回転可能に固定されている。前記このレバー２０の一端は、脚部材１２の内側に突設したストッパビス２６に係止している。このビス２６は、前記レバー２０の移動範囲を規制している。前記レバー２０の中央部はスプリング２８を介して前記握り部材１４に連結されているが、このスプリング２８は前記レバー２０を脚部材１２の下端部１２ａ方向に付勢している。
【００１３】
前記脚部材１２の下端部１２ａは、円弧状に形成され、その下方にはストッパ３０が設けられている。このストッパ３０は前記円弧状の下端部１２ａに沿って円弧状に形成されたガイドストッパであり、開閉ハンドル１０が閉弁位置の時に、該ストッパロッド１８の下端部１８ａが係止できる様に設計されている。
【００１４】
図において、３２は噴霧角度調整ヘッド、３４は流量切替ダイヤル、３６はグリップ、３８はベルト４０を支持する肩ベルト用リング、４２は受け金具、４４はハンドルの作動角度を規制するストッパ、それぞれ示す。
【００１５】
次に、本実施例の作動について説明する。
開弁時：
消火作業開始時には、閉弁状態の開閉レバー１０Ａの握り部材１４とロック解除レバー２０を手で握ると、該レバー２０はスプリング２８のばね力に抗して握り部材１４側に移動し、ピン２４を軸にして回転する。そのため、図３に示すように、ストッパロッド１８が持ち上げられるので、該ロッド１８の下端部１８ａは上昇し、ガイドストッパ３０との係合が解除される。
【００１６】
このハンドル１０Ａを、図２に示すように、矢印Ａ１０方向に回すと、ボール弁３が回転して貫通孔３ａが流路方向に向いて開弁し、放水が開始される。更に同方向に回すと全開するとともに、作動角度を規制するストッパ４４がボデー１の当接部に当り、それ以上回転できなくなる。前記ロック解除レバー２０から手を離すと、該レバー２０は１０Ｂの状態となり、該ロッド１８の下端部１８ａは、ガイドストッパ３０の上面に当接する。
【００１７】
閉弁時：
消火作業終了後、開弁状態の開閉ハンドル１０Ｂの握り部材１４、ロック解除レバー２０を手で握ると、前記と同様な要領でストッパロッド１８が持ち上がり、該ロッドの下端部１８ａはガイドストッパ３０の上面から離れる。
【００１８】
このハンドル１０Ｂを矢印Ａ１０と反対方向に回転させると、ボール弁３が回転して開弁し始め、更に同方向に回すと前記ストッパ４４がボデー１の当接部に当り、全閉状態となるので、放水が停止する。前記ロック解除レバー２０から手を離すと、該レバー２０は１０Ａの状態となり、図２、図４に示すように、該ロッド１８の下端部１８ａは、ガイドストッパ３０の後端面に係止する。そのため、前記ハンドル１０Ａに矢印Ａ１０方向の力が加わっても、該ハンドル１０Ａは回転しないので、開弁することがなく、従って、不用意に放水が開始されることもない。
【００１９】
この考案の実施例は、上記に限定されるものではなく、例えば、次のようにしても良い。
（１）開閉ハンドルを逆Ｕ字状（門型）にする代わりに、逆Ｌ字状（１本の縦方向の脚部材と１本の横方向の握り部材）、又は、逆Ｙ字状（一対の縦方向の脚部材と前記脚部材の上端連結部に突設された縦握り部材）、に形成しても良い。  （２）ストッパの形状等は、特に限定されるものではなく、閉弁位置における前記ストッパロッドの下端部が係止できる形状の突起、例えば、円柱状体、角柱状体であっても良い。又、突起の代わりに、凹部を利用しても良い。
（３）握り部材を脚部材と直行方向（横方向）に設ける代わりに、縦方向に設け、該握り部材を握ったときに、ストッパロッドが摺動するようにしても良い。
【図面の簡単な説明】
【００２０】
【図１】本考案の実施例を示す正面図である。
【図２】図１の要部拡大図である。
【図３】図１の縦断面図である。
【図４】図３と異なる状態の縦断面図である。
【符号の説明】
【００２１】
１      ボデー
３      ボール弁
１０    開閉ハンドル
１２    脚部材
１４    握り部材
１８    ストッパロッド
２０    ロック解除レバー
３０    ストッパ
【図１】
0003122103.tif 000003
【図２】
0003122103.tif 000004
【図３】
0003122103.tif 000005
【図４】
0003122103.tif 000006